(57)【要約】  【課題】  平衡伝送システムにおいて、伝送線路の平衡状態を検出できるようにする。また、検出結果に応じて平衡状態を制御できるようにし、平衡度を向上させる。  【解決手段】  平衡伝送システムに設けられる線路状態検出装置は、送信部１３に接続される一対の導体Ｗ１、Ｗ２からなる伝送線路において、それぞれに直列に一次側が挿入され、二次側が両トランスにおける電流又は電圧を互いに打ち消すように直列に接続されたカレントトランスＴ１１、Ｔ１２と、カレントトランスＴ１１、Ｔ１２の二次側の電流又は電圧を検出する検出部１１とを有する。検出部１１の出力により、伝送線路の導体Ｗ１、Ｗ２における電流又は電圧の差分が得られ、導体Ｗ１、Ｗ２間における不平衡成分が検出される。【選択図】  図４
2005311412.tif 000002
【特許請求の範囲】
【請求項１】
一対の導体を用いてデータ伝送を行う平衡伝送システムにおける伝送線路の状態を検出する線路状態検出装置であって、
前記一対の導体間の不平衡成分を直接検出する不平衡成分検出手段を備える線路状態検出装置。
【請求項２】
請求項１記載の線路状態検出装置であって、
前記一対の導体は、電力線である線路状態検出装置。
【請求項３】
請求項１又は２記載の線路状態検出装置であって、
前記不平衡成分検出手段は、前記一対の導体の各々に一次巻線が直列に挿入されるとともに、その二次巻線同士が直列接続されたカレントトランスと、前記直列接続した二次巻線の電流又は電圧を検出する検出部とを含み、
前記カレントトランスの二次巻線は、両トランスにおける電流又は電圧を互いに打ち消すように接続される線路状態検出装置。
【請求項４】
請求項１又は２記載の線路状態検出装置であって、
前記不平衡成分検出手段は、前記一対の導体の各々に第１及び第２の巻線が直列に挿入されるとともに、コモンモード検出用の第３の巻線を備えたコモンモードコイルと、前記第３の巻線に誘起する電圧又は電流を検出する検出部とを含む線路状態検出装置。
【請求項５】
一対の導体を用いてデータ伝送を行う平衡伝送システムにおける伝送線路の状態を検出する線路状態検出装置に用いられ、前記一対の導体間の不平衡成分を直接検出する不平衡成分検出手段を備える電源接続機器であって、
前記不平衡成分検出手段として、前記一対の導体の各々に第１及び第２の巻線が直列に挿入されるとともに、コモンモード検出用の第３の巻線を有するコモンモードコイルを備えた電源接続機器。
【請求項６】
請求項１又は２記載の線路状態検出装置であって、
前記不平衡成分検出手段は、前記一対の導体間に設けたインピーダンスと、前記インピーダンスの中点と接地間の電流又は電圧を検出する検出部とを含む線路状態検出装置。
【請求項７】
請求項６記載の線路状態検出装置であって、
前記インピーダンスの中点と接地間に一次巻線が挿入された検出用トランスを有し、前記検出部は、前記検出用トランスの二次巻線の電流又は電圧を検出する線路状態検出装置。
【請求項８】
請求項６記載の線路状態検出装置であって、
前記インピーダンスは、前記伝送線路の終端インピーダンスを兼ねる線路状態検出装置。
【請求項９】
請求項１又は２記載の線路状態検出装置であって、
前記伝送線路は、送信装置又は受信装置と伝送用トランスを介して接続され、
前記不平衡成分検出手段は、前記伝送用トランスの伝送線路側巻線の中点に接続されたインピーダンスと、前記インピーダンスと接地間の電圧を検出する電圧検出部とを含む線路状態検出装置。
【請求項１０】
請求項１又は２記載の線路状態検出装置であって、
前記伝送線路は、送信装置又は受信装置と伝送用トランスを介して接続され、
前記不平衡成分検出手段は、前記伝送用トランスの伝送線路側巻線の中点と接地間の電流又は電圧を検出する検出部を含む線路状態検出装置。
【請求項１１】
請求項９又は１０記載の線路状態検出装置であって、
前記伝送用トランスの伝送線路側巻線の中点と接地間に一次巻線が挿入された検出用トランスを有し、前記検出部は、前記検出用トランスの二次巻線の電流又は電圧を検出する線路状態検出装置。
【請求項１２】
請求項１乃至４又は請求項６乃至１１のいずれか一項記載の線路状態検出装置であって、
前記不平衡成分検出手段は、前記一対の導体間の不平衡成分の大きさと方向とを算出する線路状態検出装置。
【請求項１３】
請求項１２記載の線路状態検出装置であって、
前記不平衡成分検出手段は、前記導体に対し出力する送信信号と前記導体における往路と復路の差分の電流又は電圧との位相比較を行う線路状態検出装置。
【請求項１４】
請求項１２記載の線路状態検出装置であって、
前記不平衡成分検出手段は、前記導体に対し出力する送信信号と前記導体における往路と復路の差分の電流又は電圧との積を算出する線路状態検出装置。
【請求項１５】
請求項１２記載の線路状態検出装置であって、
前記導体に対し出力する送信信号と前記導体における往路と復路の差分の電流又は電圧との少なくとも一方の位相を調整する移相手段を備える線路状態検出装置。
【請求項１６】
一対の導体を用いてデータ伝送を行う平衡伝送システムに用いる送信装置であって、
請求項１乃至４又は請求項６乃至１５のいずれか一項記載の線路状態検出装置からなる送信側線路状態検出装置を備える送信装置。
【請求項１７】
請求項１６記載の送信装置であって、
前記送信側線路状態検出装置の出力に基づき、前記導体に対し出力する送信信号を制御する送信信号制御部を備える送信装置。
【請求項１８】
一対の導体を用いてデータ伝送を行う平衡伝送システムに用いる受信装置であって、
請求項１乃至４又は請求項６乃至１５のいずれか一項記載の線路状態検出装置からなる受信側線路状態検出装置と、
前記受信側線路状態検出装置の出力に基づき、前記伝送線路の線路状態を示す状態検出信号を出力する線路状態出力部とを備える受信装置。
【請求項１９】
一対の導体を用いてデータ伝送を行う平衡伝送システムに用いる送信装置であって、
請求項１８記載の受信装置から出力される前記状態検出信号に基づき、前記導体に対し出力する送信信号を制御する送信信号制御部を備える送信装置。
【請求項２０】
一対の導体を用いてデータ伝送を行う平衡伝送システムであって、
前記請求項１乃至４又は請求項６乃至１５のいずれか一項記載の線路状態検出装置からなる送信側線路状態検出装置と、前記導体に対し出力する送信信号を制御する送信信号制御部とを備える送信装置と、
請求項１乃至４又は請求項６乃至１５のいずれか一項記載の線路状態検出装置からなる受信側線路状態検出装置と、前記受信側線路状態検出装置の出力に基づき、前記伝送線路の線路状態を示す状態検出信号を出力する線路状態出力部とを備える受信装置とを備え、
前記送信信号制御部は、前記送信側線路状態検出装置の出力と、前記受信装置から出力される前記状態検出信号とに基づいて、前記導体に対し出力する送信信号を制御する平衡伝送システム。
【発明の詳細な説明】
【技術分野】
【０００１】
本発明は、一対の導体を用いてデータ伝送を行う平衡伝送システムにおける伝送線路の状態を検出する線路状態検出装置、並びにこれを備える平衡伝送システムの送信装置及び受信装置に関する。
【背景技術】
【０００２】
従来より、平衡状態にある一対の伝送線路を用いてデータ伝送を行う平衡伝送システムが広く用いられている。この種の平衡伝送システムでは、例えば電話回線などのように、専用の通信線などによる伝送線路が用いられることが多く、通常、ある程度の平衡度が保たれている。
【０００３】
従来の平衡伝送装置の送信部及び伝送線路の一例を図３１に示す。この平衡伝送装置は、送信部９２から伝送用トランスＴ９１を介して一対の導体Ｗ１、Ｗ２からなる伝送線路に信号を送出する構成となっている。このとき、送信部９２から送出する送信信号の電流は送信部９２及び伝送線路Ｗ１、Ｗ２の特性に依存する。
【０００４】
送信部から受信部に至る伝送線路は、本来完全に平衡であることが要求されるが、実際には、送信部及び受信部における不平衡要素や、伝送線路の配線の状況や途中に接続される機器による不平衡成分等があり、伝送線路の導体Ｗ１、Ｗ２に流れる電流は、完全に平衡しているとはいえないのが実情である。このように伝送線路に流れる電流が不平衡であると、送信電力の一部が伝送線路から外部へ漏洩し、データの伝送特性が劣化したり、干渉などの不具合が生じる。
【０００５】
最近では、商用電源などの電力を搬送する電力線に高周波信号を重畳してデータ伝送を行う平衡伝送システムが提案されている。特にこのような電力線は、本来は通信用の線路ではないため、個々の宅内での配線状況、電源に接続される機器などによって、平衡度がばらつくことがある。このため、電力線を伝送線路として用いた場合に、個々の環境によって平衡度が変化し、伝送特性が大きく異なってしまうおそれがある。
【０００６】
したがって、平衡伝送システムにおいて、伝送線路の状態を検出し、２つの線路における電流又は電圧を制御するなどして、伝送線路の平衡度を向上させることが好ましいが、従来ではこのような線路状態の検出、制御はなされていなかった。
【発明の開示】
【発明が解決しようとする課題】
【０００７】
本発明は、上記事情に鑑みてなされたもので、平衡伝送システムにおいて、伝送線路の平衡状態を検出することが可能な線路状態検出装置を提供することを目的とする。
【０００８】
また、本発明は、平衡伝送システムにおいて、伝送線路の平衡状態を検出結果に基づいて制御でき、平衡度を向上させることが可能な平衡伝送システムの送信装置及び受信装置を提供することを目的とする。
【課題を解決するための手段】
【０００９】
本発明の線路状態検出装置は、一対の導体を用いてデータ伝送を行う平衡伝送システムにおける伝送線路の状態を検出する線路状態検出装置であって、前記一対の導体間の不平衡成分を直接検出する不平衡成分検出手段を備えるものである。
これにより、伝送線路における電流又は電圧の不平衡成分などの不平衡状態を検出することが可能となる。例えば、この検出結果に基づいて伝送線路の平衡状態を制御することにより、平衡度を向上させることが可能である。
【００１０】
また、本発明の一態様として、上記の線路状態検出装置であって、前記一対の導体は、電力線であるものとする。
これにより、伝送線路に電力線を用いる平衡伝送システムにおいて、伝送線路における電流又は電圧の不平衡成分などの不平衡状態を検出することが可能となる。
【００１１】
また、本発明の一態様として、上記の線路状態検出装置であって、前記不平衡成分検出手段は、前記一対の導体の各々に一次巻線が直列に挿入されるとともに、その二次巻線同士が直列接続されたカレントトランスと、前記直列接続した二次巻線の電流又は電圧を検出する検出部とを含み、前記カレントトランスの二次巻線は、両トランスにおける電流又は電圧を互いに打ち消すように接続されるものとする。
これにより、カレントトランスを用いて一対の導体における往路と復路の電流の差分を抽出でき、伝送線路における不平衡状態を直接検出することが可能となる。
【００１２】
また、本発明の一態様として、上記の線路状態検出装置であって、前記不平衡成分検出手段は、前記一対の導体の各々に第１及び第２の巻線が直列に挿入されるとともに、コモンモード検出用の第３の巻線を備えたコモンモードコイルと、前記第３の巻線に誘起する電圧又は電流を検出する検出部とを含むものとする。
これにより、コモンモードコイルを用いて一対の導体における往路と復路の電流の差分を抽出でき、伝送線路における不平衡状態を直接検出することが可能となる。
【００１３】
また、本発明の電源接続機器は、一対の導体を用いてデータ伝送を行う平衡伝送システムにおける伝送線路の状態を検出する線路状態検出装置に用いられ、前記一対の導体間の不平衡成分を直接検出する不平衡成分検出手段を備える電源接続機器であって、前記不平衡成分検出手段として、前記一対の導体の各々に第１及び第２の巻線が直列に挿入されるとともに、コモンモード検出用の第３の巻線を有するコモンモードコイルを備えたものである。この電源接続機器は、電源接続用のインレット又はプラグ等に適用可能である。
これにより、コモンモードコイルによって一対の導体間の不平衡成分を検出でき、このような電源接続機器を用いることで省スペース化を図りつつ簡便に不平衡成分の検出が可能で、かつ、電力線を伝送線路に用いる場合、伝送線路に最も近い位置に検出部分を配置でき、精度良く検出が可能となる。
【００１４】
また、本発明の一態様として、上記の線路状態検出装置であって、前記不平衡成分検出手段は、前記一対の導体間に設けたインピーダンスと、前記インピーダンスの中点と接地間の電流又は電圧を検出する検出部とを含むものとする。
これにより、一対の導体間に設けた抵抗器、トランス、コイル等によるインピーダンスを用いて、一対の導体における電流又は電圧の差分を抽出でき、伝送線路における不平衡状態を直接検出することが可能となる。
【００１５】
また、本発明の一態様として、上記の線路状態検出装置であって、前記インピーダンスの中点と接地間に一次巻線が挿入された検出用トランスを有し、前記検出部は、前記電圧検出用トランスの二次巻線の電流又は電圧を検出するものとする。
これにより、一対の導体間に設けたインピーダンスを用いて不平衡成分を検出する際に、検出用トランスを介して伝送線路と検出部とを分離した状態で伝送線路における不平衡状態を検出することが可能となる。
【００１６】
また、本発明の一態様として、上記の線路状態検出装置であって、前記インピーダンスは、前記伝送線路の終端インピーダンスを兼ねるものとする。
これにより、部品点数を少なくし、コストの低減を図ることが可能である。
【００１７】
また、本発明の一態様として、上記の線路状態検出装置であって、前記伝送線路は、送信装置又は受信装置と伝送用トランスを介して接続され、前記不平衡成分検出手段は、前記伝送用トランスの伝送線路側巻線の中点に接続されたインピーダンスと、前記インピーダンスと接地間の電圧を検出する電圧検出部とを含むものとする。
これにより、伝送線路に挿入する伝送用トランスとこの伝送用トランスの伝送線路側巻線の中点に接続されたインピーダンスとを用いて、一対の導体における電流又は電圧の差分を抽出でき、伝送線路における不平衡状態を直接検出することが可能となる。
【００１８】
また、本発明の一態様として、上記の線路状態検出装置であって、前記伝送線路は、送信装置又は受信装置と伝送用トランスを介して接続され、前記不平衡成分検出手段は、前記伝送用トランスの伝送線路側巻線の中点と接地間の電流又は電圧を検出する検出部を含むものとする。
これにより、伝送線路に挿入する伝送用トランスの伝送線路側巻線の中点と接地間の電流又は電圧を検出することで、一対の導体における電流又は電圧の差分を抽出でき、伝送線路における不平衡状態を直接検出することが可能となる。
【００１９】
また、本発明の一態様として、上記の線路状態検出装置であって、前記伝送用トランスの伝送線路側巻線の中点と接地間に一次巻線が挿入された検出用トランスを有し、前記検出部は、前記検出用トランスの二次巻線の電流又は電圧を検出するものとする。
これにより、伝送線路に挿入する伝送用トランスの中点を用いて不平衡成分を検出する際に、検出用トランスを介して伝送線路と検出部とを分離した状態で伝送線路における不平衡状態を検出することが可能となる。
【００２０】
また、本発明の一態様として、上記の線路状態検出装置であって、前記不平衡成分検出手段は、前記一対の導体間の不平衡成分の大きさと方向とを算出するものとする。
これにより、伝送線路における不平衡成分の大きさとともに方向を検出することが可能となる。
【００２１】
また、本発明の一態様として、上記の線路状態検出装置であって、前記不平衡成分検出手段は、前記導体に対し出力する送信信号と前記導体における往路と復路の差分の電流又は電圧との位相比較を行うものとする。
これにより、導体へ送出した送信信号とこの導体における往路と復路の差分の電流又は電圧との位相比較によって伝送線路における不平衡成分の方向を検出することが可能となる。
【００２２】
また、本発明の一態様として、上記の線路状態検出装置であって、前記不平衡成分検出手段は、前記導体に対し出力する送信信号と前記導体における往路と復路の差分の電流又は電圧との積を算出するものとする。
これにより、導体へ送出した送信信号とこの導体における往路と復路の差分の電流又は電圧との積によって伝送線路における不平衡成分の方向と大きさを検出することが可能となる。
【００２３】
また、本発明の一態様として、上記の線路状態検出装置であって、前記導体に対し出力する送信信号と前記導体における往路と復路の差分の電流又は電圧との少なくとも一方の位相を調整する移相手段を備えるものとする。
これにより、移相手段によって移相を調整した後に位相比較又は積の算出を行うことで、伝送線路における不平衡成分の方向を精度良く検出することが可能となる。
【００２４】
本発明の送信装置は、一対の導体を用いてデータ伝送を行う平衡伝送システムに用いる送信装置であって、上記いずれかの線路状態検出装置からなる送信側線路状態検出装置を備えるものである。
これにより、送信装置において、伝送線路における電流又は電圧の不平衡成分などの不平衡状態を検出することが可能となる。例えば、この検出結果に基づいて伝送線路の平衡状態を制御することにより、平衡度を向上させることが可能である。
【００２５】
また、本発明の一態様として、上記の送信装置であって、前記送信側線路状態検出装置の出力に基づき、前記導体に対し出力する送信信号を制御する送信信号制御部を備えるものとする。
これにより、線路状態検出装置で検出された伝送線路における不平衡状態の検出結果に基づいて、導体に対し出力する送信信号を制御することで、伝送線路の不平衡成分を低減でき、平衡度を向上させることが可能となる。
【００２６】
本発明の受信装置は、一対の導体を用いてデータ伝送を行う平衡伝送システムに用いる受信装置であって、上記いずれかの線路状態検出装置からなる受信側線路状態検出装置と、前記受信側線路状態検出装置の出力に基づき、前記伝送線路の線路状態を示す状態検出信号を出力する線路状態出力部とを備えるものである。
これにより、受信装置において、伝送線路における電流又は電圧の不平衡成分などの不平衡状態を検出することが可能となる。例えば、この検出結果を送信側へ伝送して伝送線路の平衡状態を制御することにより、平衡度を向上させることが可能である。
【００２７】
本発明の送信装置は、一対の導体を用いてデータ伝送を行う平衡伝送システムに用いる送信装置であって、上記の受信装置から出力される前記状態検出信号に基づき、前記導体に対し出力する送信信号を制御する送信信号制御部を備えるものである。
これにより、受信装置で検出された状態検出信号に基づいて、導体に対し出力する送信信号を制御することで、伝送線路の不平衡成分を低減でき、平衡度を向上させることが可能となる。
【００２８】
本発明の平衡伝送システムは、一対の導体を用いてデータ伝送を行う平衡伝送システムであって、上記いずれかの線路状態検出装置からなる送信側線路状態検出装置と、前記導体に対し出力する送信信号を制御する送信信号制御部とを備える送信装置と、上記いずれかの線路状態検出装置からなる受信側線路状態検出装置と、前記受信側線路状態検出装置の出力に基づき、前記伝送線路の線路状態を示す状態検出信号を出力する線路状態出力部とを備える受信装置とを備え、前記送信信号制御部は、前記送信側線路状態検出装置の出力と、前記受信装置から出力される前記状態検出信号とに基づいて、前記導体に対し出力する送信信号を制御するものである。
これにより、線路状態検出装置で検出された伝送線路における不平衡状態の検出結果に基づいて、導体に対し出力する送信信号を制御することで、伝送線路の不平衡成分を低減でき、平衡度を向上させることが可能となる。
【発明の効果】
【００２９】
本発明によれば、平衡伝送システムにおいて、伝送線路の平衡状態を検出することが可能な線路状態検出装置を提供できる。また、平衡伝送システムにおいて、伝送線路の平衡状態を検出結果に基づいて制御でき、平衡度を向上させることが可能な平衡伝送システムの送信装置及び受信装置を提供できる。
【発明を実施するための最良の形態】
【００３０】
本発明の実施形態では、平衡伝送路によりデータ伝送を行う平衡伝送システムにおける伝送線路の状態を検出する線路状態検出装置、及び、この線路状態検出装置を備える平衡伝送装置の送信機及び受信機、並びにこれら送信機及び受信機の双方を有する平衡伝送システムの構成例を示す。本実施形態の線路状態検出装置は、電力線を伝送線路に用いた電力線通信システムなどの平衡伝送システムに適用可能である。また、データ通信としては、周波数分割多重信号やＯＦＤＭ（Orthogonal Frequency Division Multiplexing）などを用いる電力線通信やＡＤＳＬ（Asymmetric Digital Subscriber Line）などのデータ通信に好適に用いられる。
【００３１】
まず、本発明の実施形態に係る平衡伝送装置の送信機及び受信機、並びに平衡伝送システムの概要について説明する。
【００３２】
図１は、本発明の実施形態に係る平衡伝送装置の送信機の概略構成を示す図である。この送信機１は、信号伝送路である一対の導体Ｗ１、Ｗ２からなる平衡伝送線路の状態を検出する線路状態検出装置２と、伝送用の信号データを入力して伝送信号を送信する送信部３とを有して構成される。
【００３３】
送信部３より出力される伝送信号は、線路状態検出装置２を介して導体Ｗ１、Ｗ２に送出される。導体Ｗ１、Ｗ２に注入された信号は、送信機の送信インピーダンスと伝送路インピーダンスなどによって、送信部３より出力された値とは異なった値になる可能性がある。線路状態検出装置２は、導体Ｗ１、Ｗ２に流れる電流又は電圧、若しくは両方のレベルを検出し、伝送線路の不平衡状態を示す状態検出信号を算出して送信部３にフィードバックする。送信部３は、送信信号制御部の機能を有し、フィードバックされた状態検出信号に基づいて、実際に導体Ｗ１、Ｗ２に送出された信号の平衡度が向上するように、出力する伝送信号のレベル、すなわち電流又は電圧、若しくは両方を制御する。
【００３４】
このように伝送線路の平衡状態を送信部で検出し、伝送線路に送出される信号の電流又は電圧、若しくは両方を制御することにより、伝送線路の状態に応じて、実際に導体Ｗ１、Ｗ２に伝送される送信信号レベルを調整でき、伝送線路におけるコモンモード信号レベルを低減させ、送信機から見た平衡度を向上させることができる。
【００３５】
図２は、本発明の実施形態に係る平衡伝送装置の受信機の概略構成を示す図である。この受信機４は、信号伝送路である一対の導体Ｗ１、Ｗ２からなる平衡伝送線路の状態を検出する線路状態検出装置５と、導体Ｗ１、Ｗ２からの伝送信号を受信して信号データを出力する受信部６とを有して構成される。また、送信機１は、平衡伝送線路の導体Ｗ１、Ｗ２に接続された送信部３を有する構成である。
【００３６】
導体Ｗ１、Ｗ２を介して伝送された伝送信号は、線路状態検出装置５に入力される。線路状態検出装置５は、導体Ｗ１、Ｗ２より流入する電流又は電圧、若しくは両方のレベルを検出し、伝送線路の不平衡状態を示す状態検出信号を算出して受信部６を介して送信部３にフィードバックする。このとき、不平衡成分は、あたかも導体Ｗ１、Ｗ２それぞれに同一の信号がバイアスとして合成されたような値となるので、このバイアス値などを検出する。送信部３は、送信信号制御部の機能を有し、受信部６からフィードバックされた状態検出信号に基づき、例えばフィードバックされた同相成分のバイアス値が小さくなるように、出力する伝送信号のレベルを制御する。
【００３７】
このように伝送線路の平衡状態を受信部で検出し、伝送線路に送出される信号又は伝送線路より流入する信号の電流又は電圧、若しくは両方を制御することにより、伝送線路の状態に応じて、実際に導体Ｗ１、Ｗ２より伝送される受信信号レベルを調整でき、伝送線路におけるコモンモード信号レベルを低減させ、受信機から見た平衡度を向上させることができる。
【００３８】
図３は、本発明の実施形態に係る送信機及び受信機を備える平衡伝送システムの概略構成を示す図である。この平衡伝送システムは、線路状態検出装置２及び送信部３を備える送信機１と、線路状態検出装置５及び受信部６を備える受信機４とを有し、信号伝送路である一対の導体Ｗ１、Ｗ２を介して平衡データ伝送を行う構成となっている。
【００３９】
伝送用の信号データは、送信部３に入力されて伝送信号として出力され、線路状態検出装置２を介して導体Ｗ１、Ｗ２に送出される。このとき、線路状態検出装置２によって導体Ｗ１、Ｗ２に送出される信号レベルが検出されて伝送線路の不平衡状態を示す状態検出信号が算出され、送信部３にフィードバックされる。送信部３では、状態検出信号に基づいて出力する伝送信号のレベルが調整され、導体Ｗ１、Ｗ２に送出される信号の平衡度が向上するように制御される。
【００４０】
また、導体Ｗ１、Ｗ２を介して伝送される伝送信号は、線路状態検出装置５を介して受信部６で受信され、信号データが取得されて出力される。このとき、線路状態検出装置５によって導体Ｗ１、Ｗ２において伝送される信号レベルが検出されて伝送線路の不平衡状態を示す状態検出信号が算出され、受信部６を介して送信部３にフィードバックされる。送信部３では、状態検出信号に基づいて出力する伝送信号のレベルが調整され、これによって導体Ｗ１、Ｗ２を介して受信部６で受信される信号の平衡度が向上するように制御される。
【００４１】
このように伝送線路の平衡状態を送信部及び受信部で検出し、伝送線路における信号の電流又は電圧、若しくは両方を制御することにより、伝送線路の状態に応じて、導体Ｗ１、Ｗ２における伝送信号レベルを調整でき、伝送線路におけるコモンモード信号レベルを低減させ、送信機及び受信機双方から見た平衡度を向上させることができる。
【００４２】
次に、上記のような平衡伝送装置の送信機及び受信機並びに平衡伝送システムに使用される、本発明の線路状態検出装置の実施形態をいくつか示す。本実施形態に係る線路状態検出装置は、伝送線路を構成する一対の導体における電圧又は電流、若しくは両方の不平衡成分を直接検出することにより、伝送線路の平衡度に関する状態を検出するものである。なお、以下の実施形態では、送信機に適用される線路状態検出装置を例示するが、受信機においても同様に適用することが可能である。
【００４３】
（第１の実施形態）
図４は、本発明の第１の実施形態に係る線路状態検出装置の基本的な構成を示す図である。本実施形態の線路状態検出装置は、送信部１３に接続される一対の導体Ｗ１、Ｗ２からなる往路側及び復路側の伝送線路において、それぞれに直列に一次側（一次巻線）が挿入されたカレントトランスＴ１１、Ｔ１２を有している。これらのカレントトランスＴ２１、Ｔ２２の二次側（二次巻線）は、両トランスにおける電流又は電圧を互いに打ち消すように直列に接続されている。また、カレントトランスＴ１１、Ｔ１２の二次側の電流又は電圧を検出する検出部１１を有して構成される。
【００４４】
この構成において、検出部１１は、伝送線路の導体Ｗ１、Ｗ２の往路と復路の電流の差分であるコモンモード電流（不平衡電流）を伝送線路と分離した状態で直接検出することができる。したがって、送信部１３からの送出電力の不平衡成分を簡単な構成で検出することが可能である。
【００４５】
図５は、第１の実施形態に係る線路状態検出装置の第１変形例を示すものである。この第１変形例は、図４の構成において、伝送線路の一方の導体Ｗ１又はＷ２（図の例ではＷ２）及び送信部１３を検出部１１と接続した構成である。この構成において、検出部１１は、カレントトランスＴ１１、Ｔ１２の二次側の電流又は電圧を検出するとともに、送信部１３から送出される送信信号の一部又は導体Ｗ１又はＷ２を伝送される伝送信号を入力し、この送信信号又は導体Ｗ１又はＷ２を伝送する信号と導体Ｗ１、Ｗ２における不平衡成分の電流又は電圧もしくはその両方の位相を比較する。これにより、導体Ｗ１、Ｗ２間の不平衡成分の大きさとともに、不平衡電流の方向を検出することができる。なお、検出部１１で位相を比較する際に、送信信号の代わりに導体Ｗ１、Ｗ２における一方又は両方の電流又は電圧の位相を用いてもよい。
【００４６】
また、図５の線路状態検出装置において、検出部１１で検出した導体Ｗ１、Ｗ２における不平衡成分の電流又は電圧と、送信部１３から取り出した送信信号又は導体Ｗ１又はＷ２の電流又は電圧との積を検出部１１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００４７】
図６は、第１の実施形態に係る線路状態検出装置の第２変形例を示すものである。この第２変形例は、図４の構成において、送信部１３から送出される送信信号の一部を入力し、この送信信号の電流又は電圧の位相をシフトして検出部１１に出力する移相回路Ｐ１１を備える構成である。移相回路Ｐ１１は、遅延素子などによってアナログ的に移相を行うもの、ディジタル回路によってディジタル的に移相処理を行うもののいずれであってもよい。この構成において、移相回路Ｐ１１は、送信部１３から取り出した送信信号の位相を進めるか又は遅らせることで位相補償を行う。検出部１１は、カレントトランスＴ１１、Ｔ１２の二次側の電流又は電圧を検出するとともに、移相回路Ｐ１１で位相補償された送信信号を入力し、導体Ｗ１、Ｗ２における不平衡成分の電流又は電圧と送信信号の電流又は電圧との積を算出する。これにより、伝送線路の導体Ｗ１、Ｗ２間における不平衡成分の値と不平衡電流の方向を精度良く検出することができる。
【００４８】
図７は、第１の実施形態に係る線路状態検出装置の第３変形例を示すものである。この第３変形例は、図４の構成において、伝送線路の導体Ｗ１又はＷ２の不平衡成分の電圧又は電流の位相をシフトして検出部１１に出力する移相回路Ｐ１２を備える構成である。移相回路Ｐ１２は、遅延素子などによってアナログ的に移相を行うもの、ディジタル回路によってディジタル的に移相処理を行うもののいずれであってもよい。この構成において、移相回路Ｐ１２は、検出された導体Ｗ１、Ｗ２の不平衡成分の電圧又は電流の位相を進めるか又は遅らせることで位相補償を行う。検出部１１は、カレントトランスＴ１１、Ｔ１２の二次側の電流又は電圧を検出するとともに、移相回路Ｐ１２で位相補償された導体Ｗ１又はＷ２における不平衡成分の電流又は電圧と送信部１３から送出される送信信号の一部とを入力し、これらの積を算出する。これにより、伝送線路の導体Ｗ１、Ｗ２間における不平衡成分の値と不平衡電流の方向を精度良く検出することができる。
【００４９】
このような第１の実施形態の線路状態検出装置によれば、伝送線路を構成する導体Ｗ１、Ｗ２のそれぞれに直列に一次側が挿入され、二次側が両トランスの電流又は電圧を互い打ち消すように直列に接続されたカレントトランスＴ１１、Ｔ１２の二次側の電流又は電圧を検出部１１で検出することで、導体Ｗ１、Ｗ２間の往路と復路の電流の差分、すなわち不平衡成分を伝送線路から分離した状態で直接検出することができる。
【００５０】
また、検出部１１において、上記構成で検出した不平衡成分の電流と、送信部１３から取り出した送信信号の一部の電流又は電圧との位相を比較したり、両者の積を算出することにより、伝送線路の導体Ｗ１、Ｗ２間における不平衡成分の値とともに、不平衡電流の方向を検出することができる。さらに、送信部１３から取り出した送信信号の位相、或いは導体Ｗ１、Ｗ２における不平衡成分の電圧又は電流の位相を移相回路で補償し、導体Ｗ１、Ｗ２における不平衡成分の電流又は電圧と送信信号との積を算出することにより、伝送線路における不平衡成分の方向及び絶対量を精度良く検出することができる。
【００５１】
（第２の実施形態）
図８は、本発明の第２の実施形態に係る線路状態検出装置の基本的な構成を示す図である。本実施形態の線路状態検出装置は、送信部２３に接続される一対の導体Ｗ１、Ｗ２からなる往路側及び復路側の伝送線路において、第１及び第２の巻線がそれぞれ導体Ｗ１、Ｗ２に直列に挿入されるとともに、コモンモード検出用の第３の巻線を備えたコモンモードコイルＬ２１を有している。また、コモンモードコイルＬ２１の第３の巻線の両端の電圧又は電流を検出することで、この第３の巻線に誘起する導体Ｗ１、Ｗ２間の不平衡電流又は不平衡電圧を検出する検出部２１を有して構成される。
【００５２】
この構成において、検出部２１は、伝送線路の導体Ｗ１、Ｗ２におけるコモンモード電流（不平衡電流）を伝送線路と分離した状態で直接検出することができる。したがって、送信部２３からの送出電力の不平衡成分を簡単な構成で検出することが可能である。また、第２の実施形態の構成では、第１の実施形態のカレントトランスを用いるものと比較して、構成が簡単となるとともに、２つのカレントトランス間の特性バラツキによって生じる検出精度の違いによる検出誤差が少なくなり、検出感度及び検出精度が良好となる。
【００５３】
なお、コモンモードコイルＬ２１を、通信機器等において通常備える不要輻射妨害対策用のコモンモードコイルと兼ねることにより、部品点数を少なくでき、コストを削減することができる。コモンモードコイルＬ２１は、トロイダルコアで構成することにより、検出精度を向上できる。また、コモンモードコイルＬ２１の配設位置は、送信機や受信機における伝送線路の入出力部近傍に設け、できるだけ伝送線路に近づけることによって、検出精度をより向上させることができる。
【００５４】
図９は、電力線を伝送線路に用いた電力線通信システムにおいて、装置の電源コード接続用のインレットコネクタにコモンモードコイルを設けた構成例を示す図である。送信機１には、導体Ｗ１、Ｗ２を内蔵する電源コードのプラグ１４が着脱可能に接続されるインレットコネクタ１５が設けられ、このインレットコネクタ１５を介して導体Ｗ１、Ｗ２と送信部２３とが接続されるようになっている。インレットコネクタ１５には、コモンモードコイルＬ２１が内蔵されており、このコモンモードコイルＬ２１の出力に基づいて検出部２１で導体Ｗ１、Ｗ２間の不平衡電流又は不平衡電圧を検出可能である。なお、インレットコネクタの他に、電源コードのプラグ等にコモンモードコイルを設けてもよい。
【００５５】
図１０は、第２の実施形態に係る線路状態検出装置の第１変形例を示すものである。この第１変形例は、図８の構成において、伝送線路の一方の導体Ｗ１又はＷ２（図の例ではＷ２）又は送信部２３を検出部２１と接続した構成である。この構成において、検出部２１は、コモンモードコイルＬ２１の第３の巻線の両端の電圧又は電流を検出するとともに、送信部２３から送出される送信信号の一部又は導体Ｗ１又はＷ２を伝送される伝送信号を入力し、この送信信号とコモンモードコイルＬ２１の第３の巻線で検出された導体Ｗ１、Ｗ２における不平衡成分の電流又は電圧もしくはその両方の位相を比較する。これにより、導体Ｗ１、Ｗ２間の不平衡成分の大きさとともに、不平衡電流の方向を検出することができる。なお、検出部２１で位相を比較する際に、導体Ｗ１、Ｗ２における一方又は両方の電流又は電圧の位相を用いてもよい。
【００５６】
また、図１０の線路状態検出装置において、コモンモードコイルＬ２１の第３の巻線で検出した導体Ｗ１、Ｗ２における不平衡成分の電流又は電圧と、送信部２３から取り出した送信信号の電流又は電圧との積を検出部２１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００５７】
図１１は、第２の実施形態に係る線路状態検出装置の第２変形例を示すものである。この第２変形例は、図８の構成において、送信部２３から送出される送信信号の一部を入力し、この送信信号の電流又は電圧の位相をシフトして検出部２１に出力する移相回路Ｐ２１を備える構成である。移相回路Ｐ２１は、遅延素子などによってアナログ的に移相を行うもの、ディジタル回路によってディジタル的に移相処理を行うもののいずれであってもよい。この構成において、移相回路Ｐ２１は、送信部２３から取り出した送信信号の位相を進めるか又は遅らせることで位相補償を行う。検出部２１は、コモンモードコイルＬ２１の第３の巻線の両端の電圧又は電流を検出するとともに、移相回路Ｐ２１で位相補償された送信信号を入力し、導体Ｗ１、Ｗ２における不平衡成分の電流又は電圧と送信信号の電流又は電圧との積を算出する。これにより、伝送線路の導体Ｗ１、Ｗ２間における不平衡成分の値と不平衡電流の方向を精度良く検出することができる。
【００５８】
図１２は、第２の実施形態に係る線路状態検出装置の第３変形例を示すものである。この第３変形例は、図８の構成において、コモンモードコイルＬ２１で検出された不平衡成分の電圧又は電流の位相をシフトして検出部２１に出力する移相回路Ｐ２２を備える構成である。移相回路Ｐ２２は、遅延素子などによってアナログ的に移相を行うもの、ディジタル回路によってディジタル的に移相処理を行うもののいずれであってもよい。この構成において、移相回路Ｐ２２は、コモンモードコイルＬ２１で検出された不平衡成分の電流又は電圧の位相を進めるか又は遅らせることで位相補償を行う。検出部２１は、コモンモードコイルＬ２１の第３の巻線の両端の電圧又は電流を検出するとともに、移相回路Ｐ２２で位相補償された導体Ｗ１又はＷ２における不平衡成分の電流と送信部２３から送出される送信信号の一部とを入力し、これらの積を算出する。これにより、伝送線路の導体Ｗ１、Ｗ２間における不平衡成分の値と不平衡電流の方向を精度良く検出することができる。
【００５９】
このような第２の実施形態の線路状態検出装置によれば、伝送線路を構成する導体Ｗ１、Ｗ２のそれぞれに第１及び第２の巻線が挿入され、コモンモード検出用の第３の巻線を備えたコモンモードコイルＬ２１の第３の巻線の両端の電圧又は電流を検出部２１で検出することで、導体Ｗ１、Ｗ２間の電流又は電圧の差分、すなわち不平衡成分を伝送線路から分離した状態で直接検出することができる。
【００６０】
また、検出部２１において、上記構成で検出した不平衡成分の電流又は電圧と、送信部２３から取り出した送信信号の一部の電流又は電圧との位相を比較したり、両者の積を算出することにより、伝送線路の導体Ｗ１、Ｗ２間における不平衡成分の値とともに、不平衡電流の方向を検出することができる。さらに、送信部２３から取り出した送信信号の電流又は電圧の位相、或いは導体Ｗ１、Ｗ２の一方における電流又は電圧の位相を移相回路で補償し、導体Ｗ１、Ｗ２におけるコモンモードコイルＬ２１で検出された不平衡成分の電流又は電圧と送信信号との積を算出することにより、伝送線路における不平衡成分の方向及び絶対量を精度良く検出することができる。
【００６１】
（第３の実施形態）
図１３は、本発明の第３の実施形態に係る線路状態検出装置の基本的な構成を示す図である。本実施形態の線路状態検出装置は、送信部３３に接続される一対の導体Ｗ１、Ｗ２からなる伝送線路において、この伝送線路と送信部３３との間に挿入され伝送線路側の二次側に中点タップを備えた伝送用トランスＴ３１と、伝送用トランスＴ３１の二次側中点タップと接地間に挿入されたインピーダンスＺ３１と、インピーダンスＺ３１の両端の電圧を検出する検出部３１とを有して構成される。
【００６２】
この構成において、検出部３１は、伝送用トランスＴ３１の二次側中点と接地電位との電圧によって伝送線路の導体Ｗ１、Ｗ２におけるコモンモード電圧（不平衡電圧）を直接検出することができる。したがって、送信部３３からの送出電力の不平衡成分を簡単な構成で検出することが可能である。また、第３の実施形態の構成では、中点タップを備えた伝送用トランスを用いることで、構成がより簡単となる。
【００６３】
図１４は、第３の実施形態に係る線路状態検出装置の第１変形例を示すものである。この第１変形例は、図１３の構成において、伝送線路の一方の導体Ｗ１又はＷ２（図の例ではＷ２）又は送信部３３を検出部３１と接続した構成である。この構成において、検出部３１は、インピーダンスＺ３１の両端の電圧を検出するとともに、送信部３３から送出される送信信号の一部又は導体Ｗ１又はＷ２を伝送される伝送信号を入力し、この信号と導体Ｗ１、Ｗ２における不平衡成分の電圧の位相を比較する。これにより、導体Ｗ１、Ｗ２間の不平衡成分の大きさとともに、不平衡電圧の方向を検出することができる。なお、検出部３１で位相を比較する際に、導体Ｗ１、Ｗ２における一方又は両方の電圧の位相を用いてもよい。
【００６４】
また、図１４の線路状態検出装置において、伝送用トランスＴ３１の中点で検出した導体Ｗ１、Ｗ２における不平衡成分の電圧と、送信部３３から取り出した送信信号の電圧との積を検出部３１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００６５】
図１５は、第３の実施形態に係る線路状態検出装置の第２変形例を示すものである。この第２変形例は、伝送用トランスＴ３１の二次側中点と接地電位間の電圧を検出する検出部３１と、送信部３３から送出される送信信号の一部を入力し、この送信信号の電圧の位相をシフトして検出部３１に出力する移相回路Ｐ３１とを備える構成である。移相回路Ｐ３１は、遅延素子などによってアナログ的に移相を行うもの、ディジタル回路によってディジタル的に移相処理を行うもののいずれであってもよい。この構成において、移相回路Ｐ３１は、送信部３３から取り出した送信信号の位相を進めるか又は遅らせることで位相補償を行う。検出部３１は、伝送用トランスＴ３１の二次側中点と接地電位間の電圧を検出するとともに、移相回路Ｐ３１で位相補償された送信信号を入力し、導体Ｗ１、Ｗ２における不平衡成分の電圧と送信信号の電圧との積を算出する。これにより、伝送線路の導体Ｗ１、Ｗ２間における不平衡成分の値と不平衡電流の方向を精度良く検出することができる。
【００６６】
図１６は、第３の実施形態に係る線路状態検出装置の第３変形例を示すものである。この第３変形例は、伝送用トランスＴ３１の二次側中点タップから取り出した伝送線路の不平衡電圧の位相をシフトして検出部３１に出力する移相回路Ｐ３２を備える構成である。移相回路Ｐ３２は、遅延素子などによってアナログ的に移相を行うもの、ディジタル回路によってディジタル的に移相処理を行うもののいずれであってもよい。この構成において、移相回路Ｐ３２は、伝送用トランスＴ３１の二次側中点における電圧の位相を進めるか又は遅らせることで位相補償を行う。検出部３１は、移相回路Ｐ３２で位相補償された伝送用トランスＴ３１の二次側中点と接地電位間の電圧と、送信部３３から送出される送信信号の一部とを入力し、これらの積を算出する。これにより、伝送線路の導体Ｗ１、Ｗ２間における不平衡成分の値と不平衡電流の方向を精度良く検出することができる。
【００６７】
このような第３の実施形態の線路状態検出装置によれば、導体Ｗ１、Ｗ２からなる伝送線路と送信部３３との間に挿入され伝送線路側の二次側に中点タップを備えた伝送用トランスＴ３１を用いて、この二次側中点の電位を検出部３１で検出することで、導体Ｗ１、Ｗ２間の電流又は電圧の差分、すなわち不平衡成分を簡単な構成で直接検出することができる。
【００６８】
また、検出部３１において、上記構成で検出した不平衡成分の電圧と、送信部３３から取り出した送信信号の電圧との位相を比較したり、両者の積を算出することにより、伝送線路の導体Ｗ１、Ｗ２間における不平衡成分の値とともに、不平衡電流の方向を検出することができる。さらに、送信部３３から取り出した送信信号の電圧の位相、或いは導体Ｗ１、Ｗ２の中点電圧の位相を移相回路で補償し、これらの導体Ｗ１、Ｗ２の中点電圧と送信信号との積を算出することにより、伝送線路における不平衡成分の方向及び絶対量を精度良く検出することができる。
【００６９】
（第４の実施形態）
図１７は、本発明の第４の実施形態に係る線路状態検出装置の基本的な構成を示す図である。第４の実施形態は、第３の実施形態の構成に追加して、不平衡成分をトランスを介して検出する構成としたものである。本実施形態の線路状態検出装置は、送信部４３に接続される一対の導体Ｗ１、Ｗ２からなる伝送線路において、この伝送線路と送信部４３との間に挿入され伝送線路側の二次側に中点タップを備えた伝送用トランスＴ４１と、伝送用トランスＴ４１の二次側中点タップと接地間に一次巻線が接続された検出用トランスＴ４２と、検出用トランスＴ４２の二次巻線の電流又は電圧を検出する検出部４１とを有して構成される。
【００７０】
この構成において、検出部４１は、検出用トランスＴ４２の二次巻線の電流又は電圧を検出することで、伝送用トランスＴ４１の二次側中点と接地電位との電圧を検出用トランスＴ４２を介して検出する。これにより、伝送線路の導体Ｗ１、Ｗ２におけるコモンモード電圧（不平衡電圧）、すなわち送信部４３からの送出電力の不平衡成分を伝送線路から分離した状態で検出することができる。また、第４の実施形態の構成では、不平衡成分を検出する検出部が伝送線路と分離した形で設けられるため、検出部による伝送線路への影響を無くすことができ、より正確に伝送線路における不平衡成分の検出が可能となる。
【００７１】
図１８は、第４の実施形態に係る線路状態検出装置の第１変形例を示すものである。この第１変形例は、図１７の構成において、送信部４３を検出部４１と接続した構成である。この構成において、検出部４１は、検出用トランスＴ４２の二次巻線の電流又は電圧を検出するとともに、送信部４３から送出される送信信号の一部を入力し、この送信信号と導体Ｗ１、Ｗ２における不平衡成分の電流又は電圧もしくはその両方の位相を比較する。これにより、導体Ｗ１、Ｗ２間の不平衡成分の大きさとともに、不平衡電流の方向を伝送線路から分離した状態で検出することができる。
【００７２】
また、図１８の線路状態検出装置において、検出部４１で検出した導体Ｗ１、Ｗ２における不平衡成分の電圧と、送信部４３から取り出した送信信号の電流又は電圧との積を検出部４１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００７３】
図１９は、第４の実施形態に係る線路状態検出装置の第２変形例を示すものである。この第２変形例は、図１７の構成において、送信部４３から送出される送信信号の一部を入力し、この送信信号の電流又は電圧の位相をシフトして検出部４１に出力する移相回路Ｐ４１を備える構成である。移相回路Ｐ４１は、遅延素子などによってアナログ的に移相を行うもの、ディジタル回路によってディジタル的に移相処理を行うもののいずれであってもよい。この構成において、移相回路Ｐ４１は、送信部４３から取り出した送信信号の位相を進めるか又は遅らせることで位相補償を行う。検出部４１は、検出用トランスＴ４２の二次巻線の電流又は電圧を検出するとともに、移相回路Ｐ４１で位相補償された送信信号を入力し、導体Ｗ１、Ｗ２における不平衡成分の電圧と送信信号の電流又は電圧との積を算出する。これにより、伝送線路の導体Ｗ１、Ｗ２間における不平衡成分の値と不平衡電流の方向を伝送線路から分離した状態で精度良く検出することができる。
【００７４】
図２０は、第４の実施形態に係る線路状態検出装置の第３変形例を示すものである。この第３変形例は、図１７の構成において、検出用トランスＴ４２の二次巻線の電流又は電圧の位相をシフトして検出部４１に出力する移相回路Ｐ４２を備える構成である。移相回路Ｐ４２は、遅延素子などによってアナログ的に移相を行うもの、ディジタル回路によってディジタル的に移相処理を行うもののいずれであってもよい。この構成において、移相回路Ｐ４２は、検出用トランスＴ４２の二次巻線における電流又は電圧の位相を進めるか又は遅らせることで位相補償を行う。検出部４１は、移相回路Ｐ４２で位相補償された検出用トランスＴ４２の二次巻線の電流又は電圧と、送信部４３から送出される送信信号の一部とを入力し、これらの積を算出する。これにより、伝送線路の導体Ｗ１、Ｗ２間における不平衡成分の値と不平衡電流の方向を伝送線路から分離した状態で精度良く検出することができる。
【００７５】
このような第４の実施形態の線路状態検出装置によれば、導体Ｗ１、Ｗ２からなる伝送線路と送信部４３との間に挿入され伝送線路側の二次側に中点タップを備えた伝送用トランスＴ４１と、伝送用トランスＴ４１の二次側中点タップと接地間に一次巻線が接続された検出用トランスＴ４２とを用いて、検出用トランスＴ４２の二次巻線の電流又は電圧を検出部４１で検出することで、導体Ｗ１、Ｗ２間の電流又は電圧の差分、すなわち不平衡成分を伝送線路から分離した状態で検出することができる。
【００７６】
また、検出部４１において、上記構成で検出した不平衡成分の電流又は電圧と、送信部４３から取り出した送信信号の一部の電流又は電圧との位相を比較したり、両者の積を算出することにより、伝送線路の導体Ｗ１、Ｗ２間における不平衡成分の値とともに、不平衡電流の方向を検出することができる。さらに、送信部４３から取り出した送信信号の電流又は電圧の位相、或いは導体Ｗ１、Ｗ２の中点における電流又は電圧の位相を移相回路で補償し、これらの導体Ｗ１、Ｗ２の中点における電流又は電圧と送信信号との積を算出することにより、伝送線路における不平衡成分の方向及び絶対量を精度良く検出することができる。
【００７７】
（第５の実施形態）
図２１は、本発明の第５の実施形態に係る線路状態検出装置の基本的な構成を示す図である。本実施形態の線路状態検出装置は、送信部５３に接続される一対の導体Ｗ１、Ｗ２からなる伝送線路において、この伝送線路と送信部５３との間に挿入された伝送用トランスＴ５１と、伝送用トランスＴ５１の伝送線路側の導体Ｗ１、Ｗ２間に直列接続された２つのインピーダンスＺ５１、Ｚ５２と、インピーダンスＺ５１、Ｚ５２の接続部と接地電位との電圧を検出する検出部５１とを有して構成される。２つのインピーダンスＺ５１、Ｚ５２は、特性値がほぼ等しいものを用いることで、第３の実施形態に示した伝送用トランスの中点と同様の作用を得ることができる。なお、インピーダンスＺ５１、Ｚ５２は、抵抗成分を有する抵抗器に限らず、リアクタンス成分を有するものを用いてもよい。
【００７８】
この構成において、検出部５１は、インピーダンスＺ５１、Ｚ５２の交点における電圧、すなわち伝送線路の導体Ｗ１、Ｗ２の中点電圧を検出することで、伝送線路の導体Ｗ１、Ｗ２におけるコモンモード電圧（不平衡電圧）を直接検出することができる。したがって、送信部５３からの送出電力の不平衡成分を簡単な構成で検出することが可能である。また、第５の実施形態の構成では、直列接続した２つのインピーダンスを用いることで、構成がより簡単となる。
【００７９】
なお、伝送線路の不平衡成分を検出するために設けたインピーダンスＺ５１、Ｚ５２を、伝送線路における終端インピーダンスと兼用することにより、部品点数を少なくし、コストの低減を図ることが可能である。
【００８０】
図２２は、第５の実施形態に係る線路状態検出装置の第１変形例を示すものである。この第１変形例は、図２１の構成において、伝送線路の一方の導体Ｗ１又はＷ２（図の例ではＷ２）又は送信部５３を検出部５１と接続した構成である。この構成において、検出部５１は、インピーダンスＺ５１、Ｚ５２の交点の電圧を検出するとともに、送信部５３から送出される送信信号の一部又は導体Ｗ１又はＷ２を伝送される伝送信号を入力し、この送信信号又は導体Ｗ１又はＷ２の信号と導体Ｗ１、Ｗ２における不平衡成分の電圧の位相を比較する。これにより、導体Ｗ１、Ｗ２間の不平衡成分の大きさとともに、不平衡電流の方向を検出することができる。なお、検出部５１で位相を比較する際に、導体Ｗ１、Ｗ２における両方の電圧の位相を用いてもよい。
【００８１】
また、図２２の線路状態検出装置において、検出部５１で検出した導体Ｗ１、Ｗ２における不平衡成分の電圧と、送信部５３から取り出した送信信号の電圧との積を検出部５１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００８２】
図２３は、第５の実施形態に係る線路状態検出装置の第２変形例を示すものである。この第２変形例は、図２１の構成において、送信部５３から送出される送信信号の一部を入力し、この送信信号の電圧の位相をシフトして検出部５１に出力する移相回路Ｐ５１を備える構成である。移相回路Ｐ５１は、遅延素子などによってアナログ的に移相を行うもの、ディジタル回路によってディジタル的に移相処理を行うもののいずれであってもよい。この構成において、移相回路Ｐ５１は、送信部５３から取り出した送信信号の位相を進めるか又は遅らせることで位相補償を行う。検出部５１は、インピーダンスＺ５１、Ｚ５２の交点と接地電位間の電圧を検出するとともに、移相回路Ｐ５１で位相補償された送信信号を入力し、導体Ｗ１、Ｗ２における不平衡成分の電圧と送信信号の電圧との積を算出する。これにより、伝送線路の導体Ｗ１、Ｗ２間における不平衡成分の値と不平衡電流の方向を精度良く検出することができる。
【００８３】
図２４は、第５の実施形態に係る線路状態検出装置の第３変形例を示すものである。この第３変形例は、図２１の構成において、インピーダンスＺ５１、Ｚ５２の交点電圧による伝送線路の不平衡電圧の位相をシフトして検出部５１に出力する移相回路Ｐ５２を備える構成である。移相回路Ｐ５２は、遅延素子などによってアナログ的に移相を行うもの、ディジタル回路によってディジタル的に移相処理を行うもののいずれであってもよい。この構成において、移相回路Ｐ５２は、インピーダンスＺ５１、Ｚ５２の交点における電圧の位相を進めるか又は遅らせることで位相補償を行う。検出部５１は、移相回路Ｐ５２で位相補償されたインピーダンスＺ５１、Ｚ５２の交点と接地電位間の電圧と、送信部５３から送出される送信信号の一部とを入力し、これらの積を算出する。これにより、伝送線路の導体Ｗ１、Ｗ２間における不平衡成分の値と不平衡電流の方向を精度良く検出することができる。
【００８４】
このような第５の実施形態の線路状態検出装置によれば、導体Ｗ１、Ｗ２からなる伝送線路と送信部５３との間に挿入された伝送用トランスＴ５１の伝送線路側において、導体Ｗ１、Ｗ２間に直列接続された２つのインピーダンスＺ５１、Ｚ５２の交点の電位を検出部５１で検出することで、導体Ｗ１、Ｗ２間の電流又は電圧の差分、すなわち不平衡成分を簡単な構成で直接検出することができる。
【００８５】
また、検出部５１において、上記構成で検出した不平衡成分の電圧と、送信部５３から取り出した送信信号の電圧との位相を比較したり、両者の積を算出することにより、伝送線路の導体Ｗ１、Ｗ２間における不平衡成分の値とともに、不平衡電流の方向を検出することができる。さらに、送信部５３から取り出した送信信号の電圧の位相、或いは導体Ｗ１、Ｗ２の中点電圧の位相を移相回路で補償し、これらの導体Ｗ１、Ｗ２の中点電圧と送信信号との積を算出することにより、伝送線路における不平衡成分の方向及び絶対量を精度良く検出することができる。
【００８６】
（第６の実施形態）
図２５は、本発明の第６の実施形態に係る線路状態検出装置の基本的な構成を示す図である。第６の実施形態は、第５の実施形態の構成に追加して、不平衡成分をトランスを介して検出する構成としたものである。本実施形態の線路状態検出装置は、送信部６３に接続される一対の導体Ｗ１、Ｗ２からなる伝送線路において、この伝送線路と送信部６３との間に挿入された伝送用トランスＴ６１と、伝送用トランスＴ６１の伝送線路側の導体Ｗ１、Ｗ２間に直列接続された２つのインピーダンスＺ６１、Ｚ６２と、インピーダンスＺ６１、Ｚ６２の交点と接地間に一次巻線が接続された検出用トランスＴ６２と、検出用トランスＴ６２の二次巻線の電流又は電圧を検出する検出部６１とを有して構成される。
【００８７】
この構成において、検出部６１は、インピーダンスＺ６１、Ｚ６２の交点における電圧、すなわち伝送線路の導体Ｗ１、Ｗ２の中点電圧を検出することで、伝送線路の導体Ｗ１、Ｗ２におけるコモンモード電圧（不平衡電圧）を直接検出することができる。したがって、送信部６３からの送出電力の不平衡成分を伝送線路から分離した状態で検出することが可能である。また、第６の実施形態の構成では、不平衡成分を検出する検出部が伝送線路と分離した形で設けられるため、検出部による伝送線路への影響を無くすことができ、より正確に伝送線路における不平衡成分の検出が可能となる。
【００８８】
図２６は、第６の実施形態に係る線路状態検出装置の第１変形例を示すものである。この第１変形例は、図２５の構成において、送信部６３を検出部６１と接続した構成である。この構成において、検出部６１は、インピーダンスＺ６１、Ｚ６２の交点の電圧を検出するとともに、送信部６３から送出される送信信号の一部を入力し、この送信信号と導体Ｗ１、Ｗ２における不平衡成分の電流又は電圧もしくはその両方の位相を比較する。これにより、導体Ｗ１、Ｗ２間の不平衡成分の大きさとともに、不平衡電流の方向を伝送線路から分離した状態で検出することができる。
【００８９】
また、図２６の線路状態検出装置において、検出部６１で検出した導体Ｗ１、Ｗ２における不平衡成分の電流又は電圧と、送信部６３から取り出した送信信号の電流又は電圧との積を検出部６１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００９０】
図２７は、第６の実施形態に係る線路状態検出装置の第２変形例を示すものである。この第２変形例は、図２５の構成において、送信部６３から送出される送信信号の一部を入力し、この送信信号の電流又は電圧の位相をシフトして検出部６１に出力する移相回路Ｐ６１を備える構成である。移相回路Ｐ６１は、遅延素子などによってアナログ的に移相を行うもの、ディジタル回路によってディジタル的に移相処理を行うもののいずれであってもよい。この構成において、移相回路Ｐ６１は、送信部６３から取り出した送信信号の位相を進めるか又は遅らせることで位相補償を行う。検出部６１は、インピーダンスＺ６１、Ｚ６２の交点の電圧を検出するとともに、移相回路Ｐ６１で位相補償された送信信号を入力し、導体Ｗ１、Ｗ２における不平衡成分の電流又は電圧と送信信号の電流又は電圧との積を算出する。これにより、伝送線路の導体Ｗ１、Ｗ２間における不平衡成分の値と不平衡電流の方向を伝送線路から分離した状態で精度良く検出することができる。
【００９１】
図２８は、第６の実施形態に係る線路状態検出装置の第３変形例を示すものである。この第３変形例は、図２５の構成において、インピーダンスＺ６１、Ｚ６２の交点電圧による伝送線路の不平衡電圧の位相をシフトして検出部６１に出力する移相回路Ｐ６２を備える構成である。移相回路Ｐ６２は、遅延素子などによってアナログ的に移相を行うもの、ディジタル回路によってディジタル的に移相処理を行うもののいずれであってもよい。この構成において、移相回路Ｐ６２は、インピーダンスＺ６１、Ｚ６２の交点における電圧の位相を進めるか又は遅らせることで位相補償を行う。検出部６１は、移相回路Ｐ６２で位相補償されたインピーダンスＺ６１、Ｚ６２の交点と接地電位間の電圧と、送信部６３から送出される送信信号の一部とを入力し、これらの積を算出する。これにより、伝送線路の導体Ｗ１、Ｗ２間における不平衡成分の値と不平衡電流の方向を伝送線路から分離した状態で精度良く検出することができる。
【００９２】
このような第６の実施形態の線路状態検出装置によれば、導体Ｗ１、Ｗ２からなる伝送線路と送信部６３との間に挿入された伝送用トランスＴ６１の伝送線路側において、導体Ｗ１、Ｗ２間に直列接続された２つのインピーダンスＺ６１、Ｚ６２の交点の電位を検出部６１で検出することで、導体Ｗ１、Ｗ２間の電流又は電圧の差分、すなわち不平衡成分を伝送線路から分離した状態で検出することができる。
【００９３】
また、検出部６１において、上記構成で検出した不平衡成分の電圧と、送信部６３から取り出した送信信号の電圧との位相を比較したり、両者の積を算出することにより、伝送線路の導体Ｗ１、Ｗ２間における不平衡成分の値とともに、不平衡電流の方向を検出することができる。さらに、送信部６３から取り出した送信信号の電圧の位相、或いは導体Ｗ１、Ｗ２の中点電圧の位相を移相回路で補償し、これらの導体Ｗ１、Ｗ２の中点電圧と送信信号との積を算出することにより、伝送線路における不平衡成分の方向及び絶対量を精度良く検出することができる。
【００９４】
（第７の実施形態）
図２９は、本発明の第７の実施形態に係る線路状態検出装置の基本的な構成を示す図である。本実施形態の線路状態検出装置は、送信部７３に接続される一対の導体Ｗ１、Ｗ２からなる伝送線路において、この伝送線路と送信部７３との間に挿入された伝送用トランスＴ７１と、伝送用トランスＴ７１の伝送線路側の導体Ｗ１、Ｗ２間に直列接続された値がほぼ等しい２つのコイルＬ７１、Ｌ７２と、コイルＬ７１、Ｌ７２の接続部と接地電位との電圧を検出する検出部７１とを有して構成される。
【００９５】
この構成において、検出部７１は、コイルＬ７１、Ｌ７２の交点における電圧、すなわち伝送線路の導体Ｗ１、Ｗ２の中点電圧を検出することで、伝送線路の導体Ｗ１、Ｗ２におけるコモンモード電圧（不平衡電圧）を直接検出することができる。したがって、送信部７３からの送出電力の不平衡成分を簡単な構成で検出することが可能である。また、第７の実施形態の構成では、直列接続した２つのコイルを用いることで、構成がより簡単となる。
【００９６】
また、第１変形例として、コイルＬ７１、Ｌ７２の交点と接地間に一次巻線が接続された検出用トランスを設け、この検出用トランスの二次巻線の電流又は電圧を検出部７１で検出する構成としてもよい。これにより、伝送線路から分離した状態で不平衡成分を検出することができる。
【００９７】
また、第２変形例として、送信部７３から送出される送信信号の一部と導体Ｗ１又はＷ２を伝送される伝送信号とを検出部７１に入力し、この送信信号と導体Ｗ１、Ｗ２における不平衡成分の電圧の位相を検出部７１で比較する構成としてもよい。これにより、導体Ｗ１、Ｗ２間の不平衡成分の大きさとともに、不平衡電流の方向を検出することができる。なお、検出部７１で位相を比較する際に、導体Ｗ１、Ｗ２における電圧のいずれか一方又は両方の位相を用いてもよい。
【００９８】
また、第３変形例として、検出部７１で検出した導体Ｗ１、Ｗ２における不平衡成分の電圧と、送信部７３から取り出した送信信号の電圧との積を検出部７１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【００９９】
このような第７の実施形態の線路状態検出装置によれば、導体Ｗ１、Ｗ２からなる伝送線路と送信部７３との間に挿入された伝送用トランスＴ７１の伝送線路側において、導体Ｗ１、Ｗ２間に直列接続された２つのコイルＬ７１、Ｌ７２の交点の電位を検出部７１で検出することで、導体Ｗ１、Ｗ２間の電流又は電圧の差分、すなわち不平衡成分を簡単な構成で検出することができる。
【０１００】
（第８の実施形態）
図３０は、本発明の第８の実施形態に係る線路状態検出装置の基本的な構成を示す図である。本実施形態の線路状態検出装置は、送信部８３に接続される一対の導体Ｗ１、Ｗ２からなる伝送線路において、この伝送線路と送信部８３との間に挿入された伝送用トランスＴ８１と、伝送用トランスＴ８１の伝送線路側の導体Ｗ１、Ｗ２間に接続された中点タップを有するコイルＬ８１と、コイルＬ８１の中点と接地電位間の電圧を検出する検出部８１とを有して構成される。
【０１０１】
この構成において、検出部８１は、コイルＬ８１の中点における電圧、すなわち伝送線路の導体Ｗ１、Ｗ２の中点電圧を検出することで、伝送線路の導体Ｗ１、Ｗ２におけるコモンモード電圧（不平衡電圧）を直接検出することができる。したがって、送信部８３からの送出電力の不平衡成分を簡単な構成で検出することが可能である。また、第８の実施形態の構成では、中点タップを有するコイルを用いることで、構成がより簡単となる。
【０１０２】
また、第１変形例として、コイルＬ８１の中点と接地間に一次巻線が接続された検出用トランスを設け、この検出用トランスの二次巻線の電流又は電圧を検出部８１で検出する構成としてもよい。これにより、伝送線路から分離した状態で不平衡成分を検出することができる。
【０１０３】
また、第２変形例として、送信部８３から送出される送信信号の一部又は導体Ｗ１又はＷ２に伝送される伝送信号とを検出部８１に入力し、この送信信号と導体Ｗ１、Ｗ２における不平衡成分の電圧の位相を検出部８１で比較する構成としてもよい。これにより、導体Ｗ１、Ｗ２間の不平衡成分の大きさとともに、不平衡電流の方向を検出することができる。なお、検出部８１で位相を比較する際に、導体Ｗ１、Ｗ２における電圧のいずれか一方又は両方の位相を用いてもよい。
【０１０４】
また、第３変形例として、検出部８１で検出した導体Ｗ１、Ｗ２における不平衡成分の電圧と、送信部８３から取り出した送信信号の電圧との積を検出部８１において算出する構成としてもよい。これにより、積の算出値によって伝送線路の導体Ｗ１、Ｗ２間における不平衡成分の量を検出できるとともに、この算出値の符号によって不平衡電流の方向を検出することができる。
【０１０５】
このような第８の実施形態の線路状態検出装置によれば、導体Ｗ１、Ｗ２からなる伝送線路と送信部８３との間に挿入された伝送用トランスＴ８１の伝送線路側において、導体Ｗ１、Ｗ２間に接続されたコイルＬ８１の中点の電位を検出部８１で検出することで、導体Ｗ１、Ｗ２間の電流又は電圧の差分、すなわち不平衡成分を簡単な構成で検出することができる。
【０１０６】
なお、上記第１〜第８の実施形態において、送信部より送出される送信信号を用いて、送信信号の出力タイミングを考慮して導体Ｗ１、Ｗ２間の不平衡成分の検出を行う構成としてもよい。例えば、送信信号が出力されていないときには、検出部や差分回路の動作を停止したり、差分回路の出力をオフしたりすることで、非送信時における導体Ｗ１、Ｗ２間の不平衡成分の検出出力を除外することができる。
【０１０７】
また、上記第１〜第８の実施形態において、各構成要素は、回路ブロックやトランス等の電子素子によって表現した構成例を示したが、同様の作用又は機能を有するものであれば上記構成例に限定されるものではなく、アナログ回路、ディジタル回路、電子素子の組み合わせなど、種々の構成によって実現可能である。また、各構成要素の機能は、ハードウェア処理、或いはソフトウェア処理など、いずれで実現する構成であっても良い。また、回路の一部又は全部を集積化して装置の小型化を図ることも可能である。
【０１０８】
また、不平衡成分の検出時の位相補償や、検出した不平衡成分に基づく伝送線路の平衡度の制御など、補正を行う際には、補正目標値に対するズレ量を補正量として補正する構成であっても良いし、これとは逆に、補正目標値とズレ量との差分を補正量として補正する構成であっても良い。
【０１０９】
上述したように、本実施形態によれば、平衡伝送システムにおける伝送線路の平衡状態を検出でき、この検出結果に基づいて、伝送線路へ送出する伝送信号のレベルを調整するなどによって伝送線路の平衡状態を制御でき、平衡度を向上させることができる。これにより、伝送線路から外部への漏洩電力を低減でき、データの伝送特性の劣化や他への干渉などを抑制することができる。例えば、電力線を伝送線路に用いた電力線通信システムなどの平衡伝送システムに適用すれば、より顕著な効果が得られる。
【産業上の利用可能性】
【０１１０】
本発明は、一対の導体を用いてデータ伝送を行う平衡伝送システムにおいて、伝送線路の平衡状態を検出することが可能となる効果を有し、また、平衡伝送システムにおいて、伝送線路の平衡状態を検出結果に基づいて制御でき、平衡度を向上させることが可能となる効果を有するものであり、平衡伝送システムにおける線路状態検出装置、並びにこれを備える平衡伝送システムの送信装置及び受信装置等に有用である。
【図面の簡単な説明】
【０１１１】
【図１】本発明の実施形態に係る平衡伝送装置の送信機の概略構成を示す図
【図２】本発明の実施形態に係る平衡伝送装置の受信機の概略構成を示す図
【図３】本発明の実施形態に係る送信機及び受信機を備える平衡伝送システムの概略構成を示す図
【図４】本発明の第１の実施形態に係る線路状態検出装置の基本的な構成を示す図
【図５】第１の実施形態に係る線路状態検出装置の第１変形例を示す図
【図６】第１の実施形態に係る線路状態検出装置の第２変形例を示す図
【図７】第１の実施形態に係る線路状態検出装置の第３変形例を示す図
【図８】本発明の第２の実施形態に係る線路状態検出装置の基本的な構成を示す図
【図９】第２の実施形態に係るコモンモードコイルを、電力線を伝送線路に用いた電力線通信システムにおける装置の電源コード接続用のインレットコネクタに設けた構成例を示す図
【図１０】第２の実施形態に係る線路状態検出装置の第１変形例を示す図
【図１１】第２の実施形態に係る線路状態検出装置の第２変形例を示す図
【図１２】第２の実施形態に係る線路状態検出装置の第３変形例を示す図
【図１３】本発明の第３の実施形態に係る線路状態検出装置の基本的な構成を示す図
【図１４】第３の実施形態に係る線路状態検出装置の第１変形例を示す図
【図１５】第３の実施形態に係る線路状態検出装置の第２変形例を示す図
【図１６】第３の実施形態に係る線路状態検出装置の第３変形例を示す図
【図１７】本発明の第４の実施形態に係る線路状態検出装置の基本的な構成を示す図
【図１８】第４の実施形態に係る線路状態検出装置の第１変形例を示す図
【図１９】第４の実施形態に係る線路状態検出装置の第２変形例を示す図
【図２０】第４の実施形態に係る線路状態検出装置の第３変形例を示す図
【図２１】本発明の第５の実施形態に係る線路状態検出装置の基本的な構成を示す図
【図２２】第５の実施形態に係る線路状態検出装置の第１変形例を示す図
【図２３】第５の実施形態に係る線路状態検出装置の第２変形例を示す図
【図２４】第５の実施形態に係る線路状態検出装置の第３変形例を示す図
【図２５】本発明の第６の実施形態に係る線路状態検出装置の基本的な構成を示す図
【図２６】第６の実施形態に係る線路状態検出装置の第１変形例を示す図
【図２７】第６の実施形態に係る線路状態検出装置の第２変形例を示す図
【図２８】第６の実施形態に係る線路状態検出装置の第３変形例を示す図
【図２９】本発明の第７の実施形態に係る線路状態検出装置の基本的な構成を示す図
【図３０】本発明の第８の実施形態に係る線路状態検出装置の基本的な構成を示す図
【図３１】従来の平衡伝送装置の送信部及び伝送線路の一例を示す図
【符号の説明】
【０１１２】
１  送信機
２、５  線路状態検出装置
３、１３、２３、３３、４３、５３、６３、７３、８３  送信部
４  受信機
６  受信部
１１、２１、３１、４１、５１、６１、７１、８１  検出部
Ｌ２１  コモンモードコイル
Ｌ７１、Ｌ７２、Ｌ８１  コイル
Ｔ１１、Ｔ１２  カレントトランス
Ｔ３１、Ｔ４１、Ｔ５１、Ｔ６１、Ｔ７１、Ｔ８１  伝送用トランス
Ｔ４２、Ｔ６２  検出用トランス
Ｗ１、Ｗ２  導体
Ｚ３１、Ｚ５１、Ｚ５２、Ｚ６１、Ｚ６２  インピーダンス
Ｐ１１、Ｐ１２、Ｐ２１、Ｐ２２、Ｐ３１、Ｐ３２、Ｐ４１、Ｐ４２、Ｐ５１、Ｐ５２、Ｐ６１、Ｐ６２  移相回路
【図１】
2005311412.tif 000003
【図２】
2005311412.tif 000004
【図３】
2005311412.tif 000005
【図４】
2005311412.tif 000006
【図５】
2005311412.tif 000007
【図６】
2005311412.tif 000008
【図７】
2005311412.tif 000009
【図８】
2005311412.tif 000010
【図９】
2005311412.tif 000011
【図１０】
2005311412.tif 000012
【図１１】
2005311412.tif 000013
【図１２】
2005311412.tif 000014
【図１３】
2005311412.tif 000015
【図１４】
2005311412.tif 000016
【図１５】
2005311412.tif 000017
【図１６】
2005311412.tif 000018
【図１７】
2005311412.tif 000019
【図１８】
2005311412.tif 000020
【図１９】
2005311412.tif 000021
【図２０】
2005311412.tif 000022
【図２１】
2005311412.tif 000023
【図２２】
2005311412.tif 000024
【図２３】
2005311412.tif 000025
【図２４】
2005311412.tif 000026
【図２５】
2005311412.tif 000027
【図２６】
2005311412.tif 000028
【図２７】
2005311412.tif 000029
【図２８】
2005311412.tif 000030
【図２９】
2005311412.tif 000031
【図３０】
2005311412.tif 000032
【図３１】
2005311412.tif 000033